(57)【要約】【課題】背景画像に重ねて各種情報が表示されることによる利便性と、背景画像の視認性とを両立させる。【解決手段】サイドボタンに対する操作の有無を常時監視する（Ｓ１０１）。ユーザがサイドボタンを操作すると、この操作を検出して（Ｓ１０１；ＹＥＳ）、所定時間を計測するタイマーを起動させるとともに（Ｓ１０２）、メイン表示部に表示されているショートカットアイコンを一時消去する（Ｓ１０３）。このＳ１０３での処理により、ショートカットアイコンが全て一時的に消去され、その結果、メイン表示部は待受け画像のみが残存することとなる。したがって、サイドボタンをワンタッチ操作すれば、ショートカットアイコンを消去して、メイン表示部において待受け画像Ｗのみの表示状態とすることができる。【選択図】        図８
2005038038.tif 000002
【特許請求の範囲】
【請求項１】
背景画像と、この背景画像に重ねて各種情報を表示する表示手段と、
スイッチ手段と、
このスイッチ手段によるスイッチ操作を検出する検出手段と、
この検出手段により前記スイッチ操作が検出されると、前記表示手段に表示されている前記各種情報を一時的に非表示にする表示制御手段と
を備えることを特徴とする携帯情報機器。
【請求項２】
計時手段と、
この計時手段によって計時された時刻情報を前記背景画像として前記表示手段に設定する設定手段を、更に備えたことを特徴とする請求項１記載の携帯情報機器。
【請求項３】
アプリケーションプログラムを記憶する記憶手段を更に備え、
前記各種情報は、この記憶手段に記憶されるアプリケーションプログラムを読み出して動作させるためのショートカットアイコンであることを特徴とする請求項１記載の携帯情報機器。
【請求項４】
通信手段を更に備え、
前記ショートカットアイコンは、この通信手段を用いて通信するための固有の情報を読み出すための情報であることを特徴とする請求項３記載の携帯情報機器。
【請求項５】
背景画像と、この背景画像に重ねて各種情報を表示する表示手段と、スイッチ手段とを備える携帯情報機器が有するコンピュータを、
前記スイッチ手段によるスイッチ操作を検出する検出手段と、
この検出手段が前記スイッチ手段によるスイッチ操作を検出すると、前記表示手段に表示されている前記各種情報を一時的に非表示にする表示制御手段と
して機能させることを特徴とする表示制御プログラム。
【発明の詳細な説明】
【０００１】
【発明の属する技術分野】
【０００２】
本発明は、携帯電話等、小型の表示画面を備える携帯情報機器に関する。
【０００３】
【従来の技術】
【０００４】
近年、携帯電話においては多機能化が進むことにより、電話帳データのみならず、メール通信機能を備えることにより、送受信したメールの内容を保存したり、さらには、着信メロディや、カメラでの撮影、若しくは、ネットワーク接続によりダウンロードした画像（静止画、動画）等を記憶し、これらを電話機単体で再生させたり、編集させたりできるようになっている。
【０００５】
また、これに加え、小型ながらも表示画面の解像度が向上しており、ショートカットアイコンを設定して、ユーザーインターフェースの向上を目的とした技術も出現するに至っている（例えば、特許文献１参照。）。
また、近年ではパーソナルコンピュータのような利用方法（例えば、デスクトップと見立てて、ランチャー機能、壁紙、スクリーンセーバー等を設定する等）が普及しつつある。
【０００６】
【特許文献１】
特開２００２−９９２２号公報
【０００７】
【発明が解決しようとする課題】
【０００８】
しかしながら、携帯電話の場合、表示画面の大きさに制約があるため、例えば時間を確認できるよう、表示画面全体に表示する時計を背景画面として設定した場合、この背景画面上にショートカットアイコンを重ねて表示すると、ショートカットアイコンが邪魔となって、直ちに時間の確認を行うことが困難になるという欠点があった。また、時計表示でなくても、例えば撮像機能を備えた携帯電話単体で撮影したお気に入り画像を背景画像として設定した場合にも、背景画像を観賞しようとする際、あるいはこの背景画像を他人に観賞させようとした際、ショートカットアイコンが観賞の妨げとなってしまう。
【０００９】
本発明は、このような従来の課題に鑑みてなされたものであり、背景画像に重ねて各種情報が表示されることによる利便性と、背景画像の視認性との両立、より詳しくは、ショートカットを利用することによるユーザーインターフェースの向上と、小型画面ながらも高精細な画像の視認の利便性を両立させることのできる携帯情報機器及び表示制御プログラムを提供することを目的とするものである。
【００１０】
【課題を解決するための手段】
【００１１】
前記課題を解決するために請求項１記載の発明に係る携帯情報機器にあっては、背景画像と、この背景画像に重ねて各種情報を表示する表示手段と、スイッチ手段と、このスイッチ手段によるスイッチ操作を検出する検出手段と、この検出手段により前記スイッチ操作が検出されると、前記表示手段に表示されている前記各種情報を一時的に非表示にする表示制御手段とを備える。
【００１２】
したがって、通常時においては表示手段に、背景画像とこの背景画像に重ねて各種情報が表示されていることから、表示されている各種情報による利便性が確保される。そして、ユーザが必要に応じてスイッチ操作を行うと、表示手段に表示されている各種情報が一時的に非表示となって、背景画像が表示される。したがって、この状態においては、各種情報によって妨げられることなく背景画像が明瞭化し、背景画像の視認性が確保される。よって、背景画像に重ねて各種情報が表示されることによる利便性と、背景画像の視認性との両立が可能となる。
【００１３】
また、請求項２記載の発明に係る携帯情報機器にあっては、計時手段と、この計時手段によって計時された時刻情報を前記背景画像として前記表示手段に設定する設定手段を、更に備える。
【００１４】
したがって、時刻情報が背景画像として表示されるとともに、通常時はこの背景画像上に各種情報が重ねて表示される。よって、この通常の表示状態においては、表示されている各種情報による利便性が確保されるが、背景画像の時刻情報は、各種情報が重ねて表示されることにより視認性が悪化した状態にある。しかし、ユーザが時刻を確認すべくスイッチ操作を行うと、各種情報が一時的に非表示となって、時刻情報からなる背景画像が表示される。したがって、この状態においては、各種情報によって妨げられることなく時刻情報が明瞭化し、該時刻情報の視認性が確保される。よって、背景画像に重ねて各種情報が表示されることによる利便性と、時刻情報の視認性との両立が可能となる。
【００１５】
また、請求項３記載の発明に係る携帯情報機器にあっては、アプリケーションプログラムを記憶する記憶手段を更に備え、前記各種情報は、この記憶手段に記憶されるアプリケーションプログラムを読み出して動作させるためのショートカットアイコンである。
【００１６】
したがって、通常時には背景画像が表示されるとともに、この背景画像上にショートカットアイコンが重ねて表示される。よって、この通常の表示状態においては、表示されているショートカットアイコンを用いて、アプリケーションプログラムを読み出して起動させることができ、ショートカットを利用することによるユーザーインターフェースの向上が図れる。
【００１７】
そして、ユーザが必要に応じてスイッチ操作を行うと、表示手段に表示されているショートカットアイコンが一時的に非表示となって、背景画像が表示される。したがって、この状態においては、各ショートカットアイコンによって妨げられることなく背景画像が明瞭化し、小型画面ながらも高精細な画像の視認の利便性が確保される。よって、ショートカットを利用することによるユーザーインターフェースの向上と、小型画面ながらも高精細な画像の視認の利便性を両立させることが可能となる。
【００１８】
また、請求項４記載の発明に係る携帯情報機器にあっては、通信手段を更に備え、前記ショートカットアイコンは、この通信手段を用いて通信するための固有の情報を読み出すための情報である。
【００１９】
したがって、通常時には背景画像が表示されるとともに、この背景画像上にショートカットアイコンが重ねて表示される。よって、この通常の表示状態においては、表示されているショートカットアイコンを用いて、通信手段を用いて通信するための固有の情報を読み出し、通信を迅速に開始することができ、ショートカットを利用することによるユーザーインターフェースの向上が図れる。
【００２０】
そして、ユーザが必要に応じてスイッチ操作を行うと、表示手段に表示されているショートカットアイコンが一時的に非表示となって、背景画像が表示される。したがって、この状態においては、各ショートカットアイコンによって妨げられることなく背景画像が明瞭化し、小型画面ながらも高精細な画像の視認の利便性が確保される。よって、ショートカットを利用することによるユーザーインターフェースの向上と、小型画面ながらも高精細な画像の視認の利便性を両立させることが可能となる。
【００２１】
また、請求項５記載の発明に係る表示制御プログラムにあっては、背景画像と、この背景画像に重ねて各種情報を表示する表示手段と、スイッチ手段とを備える携帯情報機器が有するコンピュータを、前記スイッチ手段によるスイッチ操作を検出する検出手段と、この検出手段が前記スイッチ手段によるスイッチ操作を検出すると、前記表示手段に表示されている前記各種情報を一時的に非表示にする表示制御手段として機能させる。したがって、前記コンピュータがこのプログラムに従って処理を実行することにより、請求項１記載の発明と同様の作用効果を奏する。
【００２２】
【発明の実施の形態】
【００２３】
以下、本発明を携帯電話に適用した実施の形態を図に従って説明する。
図１は、本実施の形態に係る携帯電話１の外観図（開状態：正面図及び背面図）であり、携帯電話１は、蓋部と本体部とからなる二つ折りの構造である。アンテナ１０３は、本体部の背面に設けられており、伸縮自在となっている。スピーカ１０１は、蓋部の前面側に設けられており、音声出力を行う。メイン表示部１０２は、ＱＶＧＡカラー液晶であり、蓋部の前面略中央部に配置されている。
【００２４】
本体部の前面には、カメラキー１０４、メールキー１０５、十字キー１０６、決定キー１０７、アドレスキー１０８、ネット接続キー１０９、クリアキー１１０、オンフックキー１１１とオフフックキー１１２、テンキー１１３が設けられている。カメラキー１０４は、撮影モードへの移行時及び撮像部の起動時に操作され、メールキー１０５はメールモード移行時及びメールプログラムロード時に操作される。十字キー１０６は、カーソル及びフォーカス移動時に操作され、決定キー１０７は各種モードの決定時に操作される。アドレスキー１０８は、アドレス帳データを表示する際に操作され、ネット接続キー１０９は、地図提供サービス会社接続用の操作キーである。クリアキー１１０は、キャンセル指示用のキーであり、テンキー１１３は、文字入力及びダイアル入力用として使用される。マイク１１４は、本体部の下部に設けられており、通話時において音声入力を行う。
【００２５】
また、蓋部の背面には、録音用マイク１１５、カラー液晶からなるサブ表示部１１６、着信の際、発光する報知用ＬＥＤ１１７、撮像レンズ１１８、及びフラッシュ用ＬＥＤ１１９が配置されている。また、本体部の裏面には報知用スピーカ１２０が配置されている。この報知用スピーカ１２０は、着信などを報知するものであり、蓋部を本体部に閉じた状態でも報知音が聞こえるように、本体部の裏面に配置されている。さらに、本体部の側面には、後述するようにショートカット一時消去用のサイドボタン１３１が配置されている。
【００２６】
図２は、携帯電話１の構成を示すブロック図である。無線部１２１は、アンテナ１０３に接続されており、ＰＳＫ方式に基づく変復調と、ＣＤＭＡ方式に基づく端末認証処理を含む通信処理を行う。制御部１２２は、当該機器を制御するとともにＷＷＷ接続制御を行うものであって、通信データ処理部１２２１、システムＲＯＭ１２２２及びオーディオインターフェース１２２３、及び、内蔵クロック（不図示）に基づき現在時刻を計時するための時刻計時部１２２４を有している。通信データ処理部１２２１は、ＣＬＥＰ系ボコーダ＆音声復号処理回路、パケットデータ生成回路、及びパケットデータ復元回路を含み、通信プロトコルに沿ったデータ処理を行う。システムＲＯＭ１２２２には、ＯＳのような基本システムが格納される。オーディオインターフェース１２２３は、通信データ処理部１２２１で処理される音声信号の入出力を行うものであって、前記スピーカ１０１、マイク１１４及び録音用マイク１１５が接続されている。なお、入力部は、前記カメラキー１０４〜テンキー１１３及びサイドボタン１３１で構成される。
【００２７】
アドレス・データバス処理部１２３は、制御部１２２と周辺回路（破線枠内の回路）とのデータの入出力タイミング等を制御・管理するものである。ＲＡＭ１２４は、アドレス帳データやメールデータ等、機器内で生成される各種データを記憶する。プログラムＲＯＭ（ＮＯＲ  Ｆｌａｓｈ）１２５は、各種アプリケーションプログラムを格納するとともにタイマー１２５１を内蔵する。音源ＩＣ１２６は、報知音の波形を記憶するともに出力するものであって、アンプ１２７は音源ＩＣ１２６からの出力を増幅し、前記報知用スピーカ１２０はこれを再生する。
【００２８】
表示モジュール系ドライバ１２８は、前記メイン表示部１０２、サブ表示部１１６、報知用ＬＥＤ１１７、及びフラッシュ用ＬＥＤ１１９を駆動するものである。撮像デバイス１３０は、前記撮像レンズ１１８により被写体像が結像されるＣＣＤ等からなり、ＤＳＰ１２９は、この撮像デバイス１３０からの画像信号を処理するものである。
【００２９】
図３は、前記ＲＡＭ１２４のメモリエリアの構成を示す概念図である。ＲＡＭ１２４は、後述するショートカットデータテーブル１２４１、アドレス帳記憶領域１２４２、メールデータ記憶領域１２４３、後述する待受け画像・待受けアプリケーション設定テーブル１２４４、及びその他ワークメモリ１２４５からなる。アドレス帳記憶領域１２４２は、後述するように氏名、電話番号、メールアドレス等を１レコードとして複数記憶する。メールデータ記憶領域１２４３は、メールソフトウェアを使用して作成されたメールデータや、受信したメールデータを格納する。その他ワークメモリ１２４５は、ワークメモリとして各種データ格納する。
【００３０】
図４は、前記ショートカットデータテーブル１２４１の内容を示す図である。ショートカットデータテーブル１２４１は、前記メイン表示部１０２に表示させたショートカットアイコン及びこれに関連する情報を記憶するものであり、シリアルな「レコードＮｏ．」毎に、「アイコン（イメージデータ）」、「内容」、「対応アプリケーション」、「リンク先アドレス」が記憶されている。したがって、このショートカットデータテーブル１２４１に記憶されているデータに基づき、メイン表示部１０２にショートカットアイコンを表示させることができるとともに、表示されているいずれかのショートカットアイコンが選択された際には、リンク先アドレスに基づき対応するアプリケーションを起動させることができる。
【００３１】
図５は、前記待受け画像・待受けアプリケーション設定テーブル１２４４の記憶内容を示すものであり、この待受け画像・待受けアプリケーション設定テーブル１２４４には、メイン表示部１０２に表示させる待受け画像、若しくは待受け時に起動するアプリケーションファイルが格納されているデータフォルダアドレスと、ファイル名とが記憶されている。したがって、この記憶されているデータフォルダアドレスから、記憶されているファイル名の画像データ、若しくはアプリケーションソフトウェアを読み出すことにより、メイン表示部１０２に、この設定テーブル１２４４に記憶されているデータに対応する待受け画像、アプリケーションプログラムに沿った表示内容を表示させることができる。
【００３２】
図６は、前記アドレス帳記憶領域１２４２における１レコードの記憶内容を示す図である。図示のように、アドレス帳記憶領域１２４２に記憶されるデータは、「項目」、「登録内容」、「属性」、「ショートカットフラグ」等を構成要素とし、「名前」「フリガナ」「電話番号１、２、３」「メールアドレス１、２」「住所」からなる一組のデータを１レコードとして記憶されている。「ショートカットフラグ」は、「１」によりショートカットにリンクしたデータであることを示すものである。つまり、ショートカットにリンクできるデータは、アドレス帳記憶領域１２４２に記憶されている全てのデータや、１レコードを構成する全てのデータではなく、１レコード内の特定のデータ（例えば、１レコード内に複数の電話番号が登録されている場合は、よくかける電話番号のみ）で登録されるようになっている。このようにすることで、複数の連絡先を登録している個人に対しても、「よくかける電話番号」のみをショートカットに関連付けさせることができる。
【００３３】
以上の構成に係る本実施の形態において、図５に示したように、待受け画像・待受けアプリケーション設定テーブル１２４４には、データフォルダアドレスとして「ＤＦ０００８」が記憶され、ファイル名として「ｂｉｇｃｌｏｃｋ．ｋｊｘ」が記憶されている。したがって、この記憶されているデータフォルダアドレス「ＤＦ０００８」から、ファイル名「ｂｉｇｃｌｏｃｋ．ｋｊｘ」に対応する待受けアプリケーションソフトウェアが読み出され、このソフトウェアによって生成される画像データがメイン表示部１０２に表示される。これにより、メイン表示部１０２には図７に示すように、時刻計時部１２２４で計時されている現在時刻をアナログ表示するビッグクロックからなる待受け画像Ｗが表示されることとなる。
【００３４】
また、図４に示したように、ショートカットデータテーブル１２４１には、レコードＮｏ．０００１からＮｏ．０００６までの６個のショートカットアイコンデータが記憶されており、各レコードは図示したアイコンイメージデータを有している。したがって、このイメージデータに基づきメイン表示部１０２が駆動されることにより、図７に示したように、待受け画像Ｗ上に、受信電波強度アイコン１０２１、電池残量アイコン１０２２、及び、レコードＮｏ．０００１〜０００６に各々対応する６個のショートカットアイコンＩ０１、Ｉ０２、Ｉ０３、Ｉ０４、Ｉ０５、Ｉ０６が表示されることとなる。
【００３５】
したがって、ユーザはメイン表示部１０２に常時表示されているショートカットアイコンＩ０１〜Ｉ０６のいずれかを十字キー１０７と、決定キー１０６を操作することによって必要に応じて選択することにより、所望のアプリケーションを容易かつ迅速に起動させることができる。よって、ショートカットアイコンＩ０１〜Ｉ０６を利用することによるユーザーインターフェースの向上が図れる。
【００３６】
そして、このように待受け画像Ｗ上に受信電波強度アイコン１０２１、電池残量アイコン１０２２、及び、アイコンＩ０１〜Ｉ０６からなるショートカットアイコン群が表示されている状態において、制御部１２２はプログラムＲＯＭ１２５に格納されているプログラムに基づき、図８のフローチャートに示すように処理を実行する。すなわち、サイドボタン１３１に対する操作の有無を常時監視する（ステップＳ１０１）。そして、ユーザがサイドボタン１３１を操作すると、この操作を検出して（ステップＳ１０１；ＹＥＳ）、所定時間を計測するタイマー１２５１を起動させるとともに（ステップＳ１０２）、メイン表示部１０２に表示されているショートカットアイコンを一時消去する（ステップＳ１０３）。このステップＳ１０３での処理により、図７に示したショートカットアイコンＩ０１〜Ｉ０６のみが全て一時的に消去され、その結果、図９に示すように、メイン表示部１０２は待受け画像Ｗと受信電波強度アイコン１０２１、電池残量アイコン１０２２のみが残存する状態となる。
【００３７】
したがって、サイドボタン１３１をワンタッチ操作すれば、ショートカットアイコンＩ０１〜Ｉ０６を消去することができる。よって、通常時はメイン表示部１０２にショートカットアイコンＩ０１〜Ｉ０６を表示させておくことにより操作性を向上させつつ、現在時刻を確認しようとする際には、ワンタッチ操作により、ショートカットアイコンＩ０１〜Ｉ０６を消去して待受け画像Ｗの視認性を向上させ、ショートカットアイコンＩ０１〜Ｉ０６により妨げられることなく、現在時刻を容易に確認することができる。
【００３８】
一方、制御部１２２はショートカットアイコンの一時消去を行った後、タイマー１２５１によるカウントがタイムアップとなったか否かを判断し（ステップＳ１０４）、タイムアップとなった時点でショートカットアイコンを再表示する（ステップＳ１０５）。したがって、タイムアップとなるまで、図９に示した待受け画像Ｗのみの表示状態を維持し、タイムアップとなった時点で、図７に示したように、待受け画像Ｗ上に、６個のショートカットアイコンＩ０１〜Ｉ０６が表示された状態に復帰することとなる。
【００３９】
図１０は、本実施の形態の変形例を示すものである。前述のように待受け画像Ｗ上にアイコンＩ０１〜Ｉ０６からなるショートカットアイコン群が表示されている状態において、制御部１２２はプログラムＲＯＭ１２５に格納されているプログラムに基づき、図１０のフローチャートに示すように処理を実行する。すなわち、サイドボタン１３１に対する操作継続の有無を常時監視する（ステップＳ２０１）。そして、ユーザがサイドボタン１３１を押し続けると、この操作継続を検出して（ステップＳ２０１；ＹＥＳ）、メイン表示部１０２に表示されているショートカットアイコンを一時消去する（ステップＳ２０２）。このステップＳ１０２での処理により、図７に示したショートカットアイコンＩ０１〜Ｉ０６が全て一時的に消去され、その結果、図９に示すように、メイン表示部１０２は待受け画像Ｗのみが残存することとなる。
【００４０】
次に、サイドボタン１３１の操作解除が検出されたか否かを判断し（ステップＳ２０３）、操作解除が検出された時点でショートカットアイコンを再表示する（ステップＳ２０４）。したがって、この変形例によれば、サイドボタン１３１を押し続けている間においてのみ、つまり、ユーザが待受け画像Ｗで現在時刻を確認する必要最少時間においてのみ、ショートカットアイコンＩ０１〜Ｉ０６を消去することができる。
【００４１】
なお、本実施の形態においては、本発明を携帯電話に適用した場合を示したが、これに限ることなく、ＰＤＡ、デジタルカメラ、携帯型ゲーム機等の比較的小型の表画面を備えた他の機器に適用し得ることは勿論である。
【００４２】
【発明の効果】
【００４３】
以上説明したように請求項１及び５記載の発明によれば、通常の表示状態においては、表示されている各種情報による利便性を確保できる。また、スイッチ操作により各種情報を一時的に非表示にして、各種情報によって妨げられることなく背景画像の視認性を確保することができる。よって、背景画像に重ねて各種情報が表示されることによる利便性と、背景画像の視認性との両立が可能となる。
【００４４】
また、請求項３及び４記載の発明によれば、通常の表示状態においては、表示されているショートカットアイコンを用いて、アプリケーションプログラムを読み出して動作させることができ、ショートカットを利用することによるユーザーインターフェースの向上が図れる。また、スイッチ操作によりショートカットアイコンを一時的に非表示にして、ショートカットアイコンによって妨げられることなく背景画像の視認性を確保することができる。よって、ショートカットを利用することによるユーザーインターフェースの向上と、小型画面ながらも高精細な画像の視認の利便性を両立させることが可能となる。
【図面の簡単な説明】
【図１】
（ａ）は本実施の形態における携帯電話の正面図、（ｂ）は背面図である。
【図２】携帯電話の構成を示すブロック図である。
【図３】ＲＡＭのメモリエリアの構成を示す概念図である。
【図４】ショートカットデータテーブルの構成を示す概念図である。
【図５】待受け画像・待受けアプリケーション設定テーブルの構成を示す概念図である。
【図６】アドレス帳データにおける１レコードの記憶内容を示す図である。
【図７】本実施の形態の通常時における表示状態を示す図である。
【図８】同実施の形態における制御部の処理手順を示すフローチャートである。
【図９】同実施の形態におけるサイドボタン操作時の表示状態を示す図である。
【図１０】本発明の一実施の形態の変形例における制御部の処理手順を示すフローチャートである。
【符号の説明】
１０２    メイン表示部
１２１    無線部
１２２    制御部
１２３    データバス処理部
１２４    ＲＡＭ
１２５    プログラムＲＯＭ
１２８    表示モジュール系ドライバ
１３１    サイドボタン
１２２１    通信データ処理部
１２２４    時刻計時部
１２４１    ショートカットデータテーブル
１２４２    アドレス帳記憶領域
１２４３    メールデータ記憶領域
１２４４    アプリケーション設定テーブル
１２５１    タイマー
Ｗ    背景画像
Ｉ０１〜Ｉ０６    ショートカットアイコン
【図１】
2005038038.tif 000003
【図２】
2005038038.tif 000004
【図３】
2005038038.tif 000005
【図４】
2005038038.tif 000006
【図５】
2005038038.tif 000007
【図６】
2005038038.tif 000008
【図７】
2005038038.tif 000009
【図８】
2005038038.tif 000010
【図９】
2005038038.tif 000011
【図１０】
2005038038.tif 000012